(57)【要約】【課題】消費電力が低く、且つ混信の発生を防ぐことのできる測定データ無線転送システムを提供する。【解決手段】複数の子機１０と、各子機１０から送信された測定データを受信する親機２０とを備えた測定データ無線転送システム１００において、子機１０の各々は、初期設定時に親機２０に対して、所定の基準時点から測定データを送信するまでの待ち時間を設定する待ち時間情報を含む設定データを要求する設定要求信号を出力し、親機２０からの設定データに基づいて測定データの送信タイミングを制御し、測定データの送信タイミングには親機２０との通信を行う通信部１１を起動状態とさせ、当該測定データの送信後には通信部１１を停止させ、親機２０は、子機１０の各々が互いに異なる送信タイミングで測定データを送信するよう待ち時間情報を決定し、設定要求信号に応じ、複数の子機１０に対して待ち時間情報を含む設定データを送信する。【選択図】図２
2011118727.tif 000002
【特許請求の範囲】
【請求項１】
測定データを出力する複数の測定器の各々に接続され、測定データを無線送信する複数の子機と、
測定データを処理するデータ処理装置に接続され、前記複数の子機から送信された測定データを受信し、当該受信した測定データを前記データ処理装置に出力する親機と、
を備えた測定データ無線転送システムにおいて、
前記複数の子機の各々は、
初期設定時に、前記親機に対して、所定の基準時点から測定データを送信するまでの待ち時間を設定するための待ち時間情報を含む設定データを要求する設定要求信号を出力するデータ要求手段と、
前記設定要求信号に応じて前記親機から送信された前記設定データに基づいて、測定データの送信タイミングを制御する送信タイミング制御手段と、
測定データの送信タイミングには前記親機との通信を行う通信部を起動状態とさせ、当該測定データの送信後には前記通信部を停止させる起動制御手段と、を備え、
前記親機は、
前記複数の子機の各々が互いに異なる送信タイミングで測定データを送信するよう前記待ち時間情報を決定する待ち時間決定手段と、
前記設定要求信号に応じて、前記複数の子機に対して、前記待ち時間決定手段により決定された前記待ち時間情報を含む前記設定データを送信するデータ送信手段と、を備えることを特徴とする測定データ無線転送システム。
【請求項２】
ユーザ操作により前記複数の子機に対して同時に測定データの送信を指示する操作手段を備え、
前記子機は、前記操作手段に対してユーザ操作が実行された時点を前記基準時点として、前記設定データに基づいて設定された送信タイミングにて測定データを送信する動作モードを実行する動作モード実行手段を備え、
前記設定データには、当該動作モードを指定するモード情報が含まれることを特徴とする請求項１に記載の測定データ無線転送システム。
【請求項３】
前記子機は、
測定器の測定値を監視して一の測定の終了を検出する検出手段と、
前記検出手段により一の測定の終了が確認された時点を前記基準時点として、前記設定データに基づいて設定された送信タイミングにて測定データを送信する動作モードを実行する動作モード実行手段と、
を備え、
前記設定データには、当該動作モードを指定するモード情報が含まれることを特徴とする請求項１に記載の測定データ無線転送システム。
【請求項４】
ユーザ操作により前記複数の子機に対して同時に測定開始を指示する指示手段を備え、
前記子機は、前記指示手段に対してユーザ操作が実行された時点で測定を開始すると共に、当該時点を前記基準時点とし、前記設定データに基づいて設定された送信タイミングにて測定データを送信する動作モードを実行する動作モード実行手段を備え、
前記設定データには、当該動作モードを指定するモード情報が含まれることを特徴とする請求項１に記載の測定データ無線転送システム。
【請求項５】
前記子機は、
前記複数の子機に対して同時に測定データの送信を指示する操作手段に対してユーザ操作が実行された時点を前記基準時点として、前記設定データに基づいて設定された送信タイミングにて測定データを送信する第１動作モードを実行する第１動作モード実行手段と、
測定器の測定値を監視して一の測定の終了を検出する検出手段により一の測定の終了が確認された時点を前記基準時点として、前記設定データに基づいて設定された送信タイミングにて測定データを送信する第２動作モードを実行する第２動作モード実行手段と、
前記複数の子機に対して同時に測定開始を指示する指示手段に対してユーザ操作が実行された時点で測定を開始すると共に、当該時点を前記基準時点とし、前記設定データに基づいて設定された送信タイミングにて測定データを送信する第３動作モードを実行する第３動作モード実行手段と、
を備え、
前記親機は、
前記第１〜３動作モードの何れかを設定する動作モード設定手段と、
前記動作モード設定手段により設定された動作モードを指定するモード情報を前記子機に送信する送信手段と、
を備えることを特徴とする請求項１に記載の測定データ無線転送システム。
【発明の詳細な説明】
【技術分野】
【０００１】
本発明は、測定データ無線転送システムに関する。
【背景技術】
【０００２】
従来、ノギスやマイクロメータなどのデジタル計測器による計測において、デジタル計測器に接続されて測定データを無線送信する子機と、データ処理装置に接続されて測定データを受信する親機と、からなる測定データ無線転送システムが知られている。
このシステムにおいては、同一通信エリア内に複数のデジタル計測器が存在し且つ高頻度で測定データを転送する場合に発生する混信を防ぐ対策として、例えば下記３つの方法が知られている。
第１の方法は、デジタル計測器が、自身の送信開始前に、伝送路が使用中でないか確認する動作（キャリアセンス）を実施し、自身の送信周波数と同一のキャリアが他に存在しないことを確認した後、測定データを送信する方法である。
第２の方法は、親機から、デジタル計測器個別に与えられたＩＤを含む送信要求信号をデジタル計測器に送信し、自身のＩＤを認識したデジタル計測器が、測定データを送信する方法である（例えば、特許文献１参照。）。
第３の方法は、親機から、送信開始時刻までの時間データを含む送信要求信号を各デジタル計測器に送信し、これを認識したデジタル計測器が、指定された一定時間後に測定データを送信する方法である（例えば、特許文献２参照。）。
【先行技術文献】
【特許文献】
【０００３】
【特許文献１】特開２００７−１１４９０６号公報
【特許文献２】特公平７−１２０９７３号公報
【発明の概要】
【発明が解決しようとする課題】
【０００４】
ところで、多くのデジタル計測器では、その携帯性を保つため、外部からの電源供給の必要がない電池駆動方式が採用されている。また、デジタル計測器に接続して使用する子機も電池駆動するようになっており、携帯性を損なわないシステムが実現されている。そして、このようなシステムにおいて、無線送受信機である子機は、無線送受信時に大量の電力を消費するため、消費電力を極力抑えることが望まれている。
【０００５】
しかしながら、上記した３つの方法は、それぞれ次のような問題があった。
第１の方法では、比較的短い時間に多数のデジタル計測器からの測定データの収集を行う場合に混信の可能性が高く、また、キャリアセンスのために常に受信状態としなければならないので電力消費が大きく、また、時間効率も良くない。
第２の方法では、混信が発生する可能性は無いが、何時送信されるかわからない親機からの送信要求信号を効率良く受信するためには、出来るだけ長く受信状態を保つ必要があり、電力消費が大きい。
第３の方法では、混信が発生する可能性は無いが、第２の方法と同様に、何時送信されるかわからない親機からの送信要求信号を受信するために出来るだけ長く受信状態を保つ必要があり、電力消費が大きい。
【０００６】
本発明の課題は、消費電力が低く、且つ混信の発生を防ぐことのできる測定データ無線転送システムを提供することである。
【課題を解決するための手段】
【０００７】
前記課題を解決するために、請求項１に記載の発明は、
測定データを出力する複数の測定器の各々に接続され、測定データを無線送信する複数の子機と、
測定データを処理するデータ処理装置に接続され、前記複数の子機から送信された測定データを受信し、当該受信した測定データを前記データ処理装置に出力する親機と、
を備えた測定データ無線転送システムにおいて、
前記複数の子機の各々は、
初期設定時に、前記親機に対して、所定の基準時点から測定データを送信するまでの待ち時間を設定するための待ち時間情報を含む設定データを要求する設定要求信号を出力するデータ要求手段と、
前記設定要求信号に応じて前記親機から送信された前記設定データに基づいて、測定データの送信タイミングを制御する送信タイミング制御手段と、
測定データの送信タイミングには前記親機との通信を行う通信部を起動状態とさせ、当該測定データの送信後には前記通信部を停止させる起動制御手段と、を備え、
前記親機は、
前記複数の子機の各々が互いに異なる送信タイミングで測定データを送信するよう前記待ち時間情報を決定する待ち時間決定手段と、
前記設定要求信号に応じて、前記複数の子機に対して、前記待ち時間決定手段により決定された前記待ち時間情報を含む前記設定データを送信するデータ送信手段と、を備えることを特徴とする。
【０００８】
請求項２に記載の発明は、請求項１に記載の測定データ無線転送システムにおいて、
ユーザ操作により前記複数の子機に対して同時に測定データの送信を指示する操作手段を備え、
前記子機は、前記操作手段に対してユーザ操作が実行された時点を前記基準時点として、前記設定データに基づいて設定された送信タイミングにて測定データを送信する動作モードを実行する動作モード実行手段を備え、
前記設定データには、当該動作モードを指定するモード情報が含まれることを特徴とする。
【０００９】
請求項３に記載の発明は、請求項１に記載の測定データ無線転送システムにおいて、
前記子機は、
測定器の測定値を監視して一の測定の終了を検出する検出手段と、
前記検出手段により一の測定の終了が確認された時点を前記基準時点として、前記設定データに基づいて設定された送信タイミングにて測定データを送信する動作モードを実行する動作モード実行手段と、
を備え、
前記設定データには、当該動作モードを指定するモード情報が含まれることを特徴とする。
【００１０】
請求項４に記載の発明は、請求項１に記載の測定データ無線転送システムにおいて、
ユーザ操作により前記複数の子機に対して同時に測定開始を指示する指示手段を備え、
前記子機は、前記指示手段に対してユーザ操作が実行された時点で測定を開始すると共に、当該時点を前記基準時点とし、前記設定データに基づいて設定された送信タイミングにて測定データを送信する動作モードを実行する動作モード実行手段を備え、
前記設定データには、当該動作モードを指定するモード情報が含まれることを特徴とする。
【００１１】
請求項５に記載の発明は、請求項１に記載の測定データ無線転送システムにおいて、
前記子機は、
前記複数の子機に対して同時に測定データの送信を指示する操作手段に対してユーザ操作が実行された時点を前記基準時点として、前記設定データに基づいて設定された送信タイミングにて測定データを送信する第１動作モードを実行する第１動作モード実行手段と、
測定器の測定値を監視して一の測定の終了を検出する検出手段により一の測定の終了が確認された時点を前記基準時点として、前記設定データに基づいて設定された送信タイミングにて測定データを送信する第２動作モードを実行する第２動作モード実行手段と、
前記複数の子機に対して同時に測定開始を指示する指示手段に対してユーザ操作が実行された時点で測定を開始すると共に、当該時点を前記基準時点とし、前記設定データに基づいて設定された送信タイミングにて測定データを送信する第３動作モードを実行する第３動作モード実行手段と、
を備え、
前記親機は、
前記第１〜３動作モードの何れかを設定する動作モード設定手段と、
前記動作モード設定手段により設定された動作モードを指定するモード情報を前記子機に送信する送信手段と、
を備えることを特徴とする。
【発明の効果】
【００１２】
本発明によれば、子機毎に基準時点からの異なる待ち時間で設定された送信タイミングで測定データが親機に送信されるので、電波発信のタイミングが子機毎に異なることとなるため、混信すること無しに全ての測定データの転送を行うことができる。
また、各子機の測定データの送信タイミングを設定するための設定データは、測定器の電源投入時（子機の初期設定時）にのみ送受信が行われ、設定後は、親機から同様のデータを受信する必要がない。そして、測定データの送信タイミングには親機との通信を行う通信部を起動状態にさせて、当該測定データの送信後には通信部を停止させるので、消費電力を低減することができる。
【図面の簡単な説明】
【００１３】
【図１】本発明の測定データ無線転送システムの全体構成を示す図である。
【図２】図１の測定データ無線転送システムにおける子機の制御構成を示す図である。
【図３】図１の測定データ無線転送システムにおける親機の制御構成を示す図である。
【図４】第１動作モードの動作を示すフローチャートである。
【図５】第２動作モードの動作を示すフローチャートである。
【図６】第３動作モードの動作を示すフローチャートである。
【発明を実施するための形態】
【００１４】
以下、図面を参照して、本発明に係る測定データ無線転送システムについて、詳細に説明する。
【００１５】
まず、測定データ無線転送システム（以下、無線転送システムという。）１００の全体構成について説明する。
図１に示すように、無線転送システム１００は、デジタル計測器（測定器）１に接続されて測定データを無線送信する複数の子機１０と、データ処理装置２に接続されて子機１０から送信された測定データを受信する親機２０と、を備えて構成されている。
即ち、無線転送システム１００は、測定データを出力する複数の測定器１と、これら複数の測定器１の測定データを処理するデータ処理装置２との間において、相互に情報を送受信させる情報送受信システムである。
【００１６】
測定器１は、測定対象物を測定した測定データをデジタル値として出力し、子機１０に出力するものであって、測定器１の各々に対して１つずつ子機１０が接続されている。
測定器１には、各々固有のＩＤ番号と、所定台数ごとにグループ化したグループ番号とが付与されており、このＩＤ番号及びグループ番号は、子機１０に予め記録されている。
具体的には、例えば、図１に示すように、ＩＤ番号１〜４の４つの測定器をグループ１、ＩＤ番号５〜８の４つの測定器をグループ２として、グループ番号を測定器毎のＩＤ番号と共に子機１０に予め記録する。
【００１７】
なお、測定器１としては、例えば、ノギス、高さ測定器、深さ測定器、マイクロメータ、内径測定器、ダイヤルゲージ、各種の形状測定機（表面粗さ測定機、輪郭形状測定機、真円度測定機、表面性状測定機等）、座標測定器機、圧力測定器、等が例示できる。
【００１８】
また、データ処理装置２は、例えば、各測定器１専用のデータ収集処理装置や、測定データ処理用のプログラムが実行可能なパソコン（ＰＣ；personal computer）等が利用可能である。
具体的には、データ処理装置２は、図示しないＣＰＵや、メモリ、外部記憶装置、モニタ、キーボード、等を備え、メモリや外部記憶装置に所定のプログラムやデータが組み込まれたものである。そして、データ処理装置２は、複数の測定器１を各々のＩＤ番号及びグループ番号に基づいて管理し、測定器１で測定された測定データを収集して記録する。
【００１９】
なお、１台のデータ処理装置２には、複数（図１では２台）の親機２０が接続可能であり、１台の親機２０には、複数（図１では４台）の子機１０が接続可能である。そして、１台の親機２０が複数の子機１０と各種信号やデータ等の送受信を行って、測定データを収集するようになっている。
【００２０】
このような本実施形態の無線転送システム１００では、各グループ毎に、第１動作モード、第２動作モード、第３動作モードの何れかの動作モードが設定されている。ここで、第１動作モード、第２動作モード、第３動作モードとは、詳細は後述するが、無線転送システム１００における測定データの送信方法であり、このモード設定に従ってデータ送信が実行される。
このとき、各グループ内の複数の子機１０は、互いに異なるタイミングでデータ送信を行うように設定され、混信しないようになっている。また、各グループで使用周波数を異ならせるようにすることで、例えば２つのグループで同時にデータ送信を行っても混信しないようになっている。
なお、動作モードは、初期設定時（子機１０が測定器１に接続されて電源がオンとなった時点）に設定されるが、その後も任意に変更可能である。一方、各グループ内の複数の子機１０のデータ送信タイミングは、初期設定時に設定された後は、例えば動作モードが変更された場合でも、電源がオフとなるまで維持される。
【００２１】
次に、子機１０の構成について説明する。
子機１０は、通信部１１、報知部１２、操作部１３、計時部１４、接続部１５、電源部１６、制御部１７、等を備えて構成されている。
【００２２】
通信部１１は、図示しないアンテナを備え、親機２０との間で、例えば、後述する設定要求信号や設定データ、測定データ等の無線送受信を行う。
具体的に、通信部１１は、初期設定時に親機２０に対して設定要求信号を送信し、この設定要求信号に応じて親機２０から出力された設定データを受信する。
また、通信部１１は、ＣＰＵ１７１からの制御信号に基づいて、データの送信タイミングには、電源部１６から電力が供給されることにより起動状態にされて測定データを送信し、当該測定データの送信後に停止される。
【００２３】
報知部１２は、子機１０の表面に設けられたＬＥＤ等のランプやブザーを備え、例えば親機２０から、子機１０の設定データや、モード設定や変更を指示するモード情報等を受信したことを作業者に報知する場合や、測定エラーを作業者に報知する場合などに利用される。具体的には、ランプが赤色点灯したり、或いはブザーから警告音が出力するようになっている。
【００２４】
操作部１３は、操作ボタン等を備え、測定に関する各種の設定操作等を行う場合などに使用される。
この操作部１３には、外部に接続された外部操作ボックス１３１が接続可能となっている。
外部操作ボックス１３１は、ユーザが押下操作する操作ボタン等を備え、操作手段として、第１動作モードにおいて、複数の子機１０に対して同時に測定データの送信（親機２０への測定データの出力）を指示する際に使用される。
即ち、外部操作ボックス１３１は、第１動作モードにおいて、送信タイミングの計時を開始する基準時点を全子機１０で一致させるために使用される。ユーザにより外部操作ボックス１３１の押下操作が行われると、この押下操作に応じた操作信号が全子機１０のＣＰＵ１７１に同時出力され、全子機１０のＣＰＵ１７１は、同一の基準時点から計時を開始することとなる。
【００２５】
また、外部操作ボックス１３１は、指示手段として、第３動作モードにおいて、複数の子機１０に対して同時に測定開始を指示する際に使用される。
即ち、外部操作ボックス１３１は、第３動作モードにおいて、測定開始タイミングを全子機１０で一致させるために使用される。ユーザにより外部操作ボックス１３１の押下操作が行われると、この押下操作に応じた操作信号が全子機１０のＣＰＵ１７１に同時出力され、全子機１０のＣＰＵ１７１は、同時に測定を開始することとなる。
なお、第３動作モードでは、測定開始タイミングが、送信タイミングの計時を開始する基準時点と一致するため、全子機１０のＣＰＵ１７１は、同一の基準時点から出力タイミングの計時を開始することとなる。
【００２６】
また、操作部１３は、設定された動作モードをリセットするためのリセット機能を実行する際に使用される。
具体的に、操作部１３にはリセットボタンが備えられており、例えば３秒以上、このリセットボタンが押し続けられた場合、リセット信号が出力されるようになっている。
また、外部操作ボックス１３１にリセットボタンを備え、外部操作ボックス１３１からリセット信号を送信するようにしても良い。
操作部１３や外部操作ボックス１３１から上記リセット信号が出力されると、すでに各々子機１０に設定されている待ち時間は維持されたまま、設定された動作モードのみがリセットされる。そして、その待ち時間を経過すると子機１０は設定要求信号を親機２０に送信する。親機２０が子機１０からの設定要求信号を受信すると、親機２０に設定されている各々子機１０の動作モードを指定するモード情報を各々子機１０に送信する。かかる操作は、親機２０での動作モード変更時に、子機１０の動作モードを再設定するためになされるものである。従って、あらかじめ親機２０で測定モードを変更し登録しておいてから子機１０をリセットすると、動作モードの変更が行われることとなる。
【００２７】
計時部１４は、計時手段として、ＣＰＵ１７１からの制御信号に基づいてカウントを開始し、設定された所定時間が経過する度に信号を出力する。
具体的には、計時部１４は、子機１０が後述する第１動作モードで動作している場合は、外部操作ボックス１３１から操作信号が出力された時点から計時を開始し、送信タイミングとなった時点（子機１０毎に設定された待ち時間が経過した時点）で出力信号を出力する。
また、計時部１４は、子機１０が後述する第２動作モードで動作している場合は、検出プログラム１７３ｆを実行して一の測定の終了が確認された時点から計時を開始し、送信タイミングとなった時点（子機１０毎に設定された待ち時間が経過した時点）で出力信号を出力する。
また、計時部１４は、子機１０が後述する第３動作モードで動作している場合は、外部操作ボックス１３１から操作信号が出力され、測定が開始された時点から計時を開始し、予め設定された所定時間が経過して送信タイミングとなった時点（子機１０毎に設定された待ち時間が経過した時点）で出力信号を出力する。
【００２８】
接続部１５は、その一端に測定器１に接続するコネクタを備えた接続ケーブルであり、子機１０は、接続部１５を介して測定器１に接続される。なお、この接続部１５に使用される接続ケーブル及びコネクタは、測定器１の種類に適したものを適宜選択可能となっている。
【００２９】
電源部１６は、例えば、着脱可能な一次電池又は二次電池であり、子機１０に駆動電力を供給する。この電源部１６は、ＣＰＵ１７１からの制御信号に基づいて、データ送信タイミングにのみ通信部１１に電力を供給し、データ送信後は通信部１１への電力の供給を停止する。
なお、電源部１６は、コードやクレードル等と接続することにより充電される充電式であってもよい。
【００３０】
制御部１７は、ＣＰＵ(Central Processing Unit)１７１、ＲＡＭ（Random Access Memory）１７２、記憶部１７３、等を備えている。
【００３１】
ＣＰＵ１７１は、例えば、記憶部１７３に記憶されている各種処理プログラムに従って、各種の制御処理を行う。
【００３２】
ＲＡＭ１７２は、ＣＰＵ１７１により演算処理されたデータを格納するワークメモリエリアを形成する。
【００３３】
記憶部１７３は、例えば、ＣＰＵ１７１によって実行可能なシステムプログラムや、そのシステムプログラムで実行可能な各種処理プログラム、これら各種処理プログラムを実行する際に使用されるデータ、ＣＰＵ１７１によって演算処理された各種処理結果のデータなどを記憶する。具体的に、記憶部１７３は図示しないバッファを備え、例えば測定データを一時記録する。また、記憶部１７３は、測定器１ごとに固有のＩＤ番号及びグループ番号を保持するようになっている。
なお、プログラムは、コンピュータが読み取り可能なプログラムコードの形で記憶部１７３に記憶されている。
【００３４】
具体的には、記憶部１７３には、例えば、データ要求プログラム１７３ａ、送信タイミング制御プログラム１７３ｂ、起動制御プログラム１７３ｃ、第１動作モード実行プログラム１７３ｄ、第２動作モード実行プログラム１７３ｅ、検出プログラム１７３ｆ、第３動作モード実行プログラム１７３ｇ、等が記憶されている。
【００３５】
データ要求プログラム１７３ａは、例えば、ＣＰＵ１７１に、初期設定時に、親機２０に対して、所定の基準時点から測定データを送信するまでの待ち時間を設定するための待ち時間情報を含む設定データを要求する設定要求信号を出力する機能を実現させるプログラムである。
具体的には、子機１０が測定器１に接続されて電源がオンとなった時点（初期設定時）で、ＣＰＵ１７１は、親機２０に対して、上記の設定要求信号を出力する。
ＣＰＵ１７１は、かかるデータ要求プログラム１７３ａを実行することで、通信部１１と共に、データ要求手段として機能する。
【００３６】
ここで、設定データとは、各子機１０が測定データを送信するタイミングを設定するために用いるデータであり、１台の親機２０に対して接続された複数の子機１０が同時に測定データの送信を行わないように設定を行うためのデータである。
具体的に、設定データには、所定の基準時点から、親機２０に対して測定データを送信するまでの待ち時間を設定するための待ち時間情報が含まれている。
より具体的には、例えば、１台の親機２０に対して４つの子機１０が接続されている場合、４つの子機１０には、例えば１秒ずつ異なる待ち時間が設定されている。これにより、４つの子機１０は、それぞれ１秒ずつ異なるタイミングで測定データが親機に送信されることとなる。
【００３７】
また、設定データには、第１動作モード、第２動作モード、第３動作モードの３つの動作モードを指定するモード情報が含まれており、このモード情報に従って、各子機１０の制御動作が実行されるようになっている。
なお、「所定の基準時点」は、第１動作モード、第２動作モード、第３動作モードにより、それぞれ異なる時点が基準時点として設定されている。
【００３８】
送信タイミング制御プログラム１７３ｂは、例えば、ＣＰＵ１７１に、設定要求信号に応じて親機２０から送信された設定データに基づいて、測定データの送信タイミングを制御する機能を実現させるプログラムである。
具体的には、親機２０が設定データを出力して通信部１１がこれを受信した場合、ＣＰＵ１７１は送信タイミング制御プログラム１７３ｂを実行して、１台の親機２０に対して接続された複数の子機１０が、異なる送信タイミングで測定データを送信するように設定を行う。
例えば、設定データにより、複数の子機１０のうち、ＩＤ番号の早い測定器１に接続された子機１０から順に１秒毎に測定データを送信するように送信タイミングが設定されている場合、複数の子機１０は、ＩＤ番号の早い順に、１秒ずつ異なるタイミングで測定データを送信することとなる。
ＣＰＵ１７１は、かかる送信タイミング制御プログラム１７３ｂを実行することで、送信タイミング制御手段として機能する。
【００３９】
起動制御プログラム１７３ｃは、例えば、ＣＰＵ１７１に、測定データの送信タイミングには親機２０との通信を行う通信部１１を起動状態とさせ、当該測定データの送信後には通信部１１を停止させる機能を実現させるプログラムである。
具体的には、ＣＰＵ１７１は、送信タイミング制御プログラム１７３ｂの実行により設定された送信タイミングにおいて、親機２０との通信を行う通信部１１に電源部１６から電力を供給して起動状態とさせ、測定データを送信させる。また、ＣＰＵ１７１は、当該測定データの送信後には電源部１６からの電力供給を停止して通信部１１を停止させる。
ＣＰＵ１７１は、かかる起動制御プログラム１７３ｃを実行することで、起動制御手段として機能する。
【００４０】
第１動作モード実行プログラム１７３ｄは、例えば、ＣＰＵ１７１に、外部操作ボックス１３１に対してユーザ操作が実行された時点を基準時点として、設定データに基づいて設定された送信タイミングにて測定データを送信する第１動作モードを実行する機能を実現させるプログラムである。
なお、この第１動作モード実行プログラム１７３ｄは、親機２０から送信された設定データに、当該第１動作モードを指定するモード情報が含まれた場合にＣＰＵ１７１により実行される。
【００４１】
第１動作モードでは、ＣＰＵ１７１は、まず、外部操作ボックス１３により出力された操作信号に基づいて、接続された測定器１の基準時点を一致させ、計時部１４による計時を開始する。次に、ＣＰＵ１７１は、測定器１から測定データを取得して記憶部１７３に格納し、子機１０毎に設定された送信タイミングとなった時点で、格納された測定データを親機２０に対して送信する。
従って、この第１動作モードでは、子機１０は、外部操作ボックス１３が押下操作されて操作信号を受信するまでは、通信部１１を受信状態としておく必要がなく、消費電力を低減することができるようになっている。
【００４２】
ＣＰＵ１７１は、かかる第１動作モード実行プログラム１７３ｄを実行することで、第１動作モード実行手段として機能する。
【００４３】
第２動作モード実行プログラム１７３ｅは、例えば、ＣＰＵ１７１に、後述の検出プログラム１７３ｆの実行により一の測定の終了が確認された時点を基準時点として、設定データに基づいて設定された送信タイミングにて測定データを送信する第２動作モードを実行する機能を実現させるプログラムである。
なお、この第２動作モード実行プログラム１７３ｅも、親機２０から送信された設定データに、当該第２動作モードを指定するモード情報が含まれた場合に実行される。
【００４４】
第２動作モードでは、ＣＰＵ１７１は、測定器１がカウントを開始してからの測定値の変化を監視しており、一定時間測定値が変化しないと判断された場合、測定器１における一の測定の終了が検出されたとして、その検出された時点を基準時点として計時部１４による計時を開始する。
次に、ＣＰＵ１７１は、子機１０毎に設定された送信タイミングとなった時点で、当該測定データを親機２０に対して送信する。
【００４５】
なお、第２動作モードにおいては、各々測定器１がカウントを開始するタイミングは、測定対象物に依存するためそれぞれ異なるが、一の測定の終了が検出されるタイミング（基準時点）は同一となる。
ここでは、具体的に、１つの測定治具に複数の測定器が固定されている場合を想定する。測定治具が、下方に位置する測定対象物に向かって下降すると、複数の測定器はそれぞれ測定対象物に接触した時点でカウントを開始する。測定治具は、全ての測定器がカウントを始め、更に、全ての測定器で測定が同時に完了するように、予め決定された位置まで下降するようになっており、その予め決定された位置でしばらく待機した後、測定を完了する。その後、測定治具は、当初の位置まで上昇する。
従って、ＣＰＵ１７１は、測定値の値の変化が停止すると、この測定値が安定していると確認できる時間間隔を待機してから、その測定データを記憶部１７３に格納することとなる。
仮にこのとき、測定器１の反応時間（測定完了時間）にばらつきがあるとしても、このばらつきは数ミリ秒程度であり、複数の測定器１の各々が測定データを送信する間隔（例えば、１秒又は２秒）と比較して十分小さいため、全測定器１の測定完了タイミングを基準時点として同時に設定できることとなる。
なお、冶具などの緩みやその他の原因で、同時に測定が終了しない場合には、子機１０はエラー信号を出力し、報知部１２によって報知されるようになっている。
【００４６】
また、複数の測定器１の測定完了時間を正確に一致させるため、測定器１のデータが安定する待機時間を個別に設定しておき、例えば測定治具の可動開始タイミングからの一定時間経過後、全ての測定器１が測定を終了したことする構成としても良い。待機時間には初期値として所定の値を設定しておく。この所定の値は、ユーザの子機１０に対する手動での設定、或いは親機２０やデータ処理装置２での設定により個別に変更可能とすることができる。
従って、この第２動作モードでは、測定器１における一の測定の終了が検出されてから受信状態とすればよいので、測定器１の測定値が定まらない間の不要なデータは送信されず、消費電力を低減することができるようになっている。
【００４７】
ＣＰＵ１７１は、かかる第２動作モード実行プログラム１７３ｅを実行することで、第２動作モード実行手段として機能する。
【００４８】
検出プログラム１７３ｆは、例えば、ＣＰＵ１７１に、測定器１の測定値を監視して一の測定の終了を検出する機能を実現させるプログラムである。
なお、この検出プログラム１７３ｆは、親機２０から送信された設定データに、第２動作モードを指定するモード情報が含まれ、上記した第２動作モード実行プログラム１７３ｅの実行に際して、実行される。
具体的に、ＣＰＵ１７１は、検出プログラム１７３ｆを実行することで、測定器１がカウントを開始してから、測定対象物から離れてカウントを停止するまでの測定値の変化を監視している。このとき、ＣＰＵ１７１は、測定器１の測定値の変化の有無を判定しており、設定された時間間隔分、測定値が変化しない場合に一の測定の終了を検出する。なお、「時間間隔」は、ユーザにより任意で設定・変更可能である。
ＣＰＵ１７１は、かかる検出プログラム１７３ｆを実行することで、検出手段として機能する。
【００４９】
第３動作モード実行プログラム１７３ｇは、例えば、ＣＰＵ１７１に、外部操作ボックス１３１に対してユーザ操作が実行された時点で測定を開始すると共に、当該時点を基準時点とし、設定データに基づいて設定された送信タイミングにて測定データを送信する第３動作モードを実行する機能を実現させるプログラムである。
なお、この第３動作モード実行プログラム１７３ｇも、親機２０から送信された設定データに、当該第３動作モードを指定するモード情報が含まれた場合に実行される。
【００５０】
第３動作モードでは、ＣＰＵ１７１は、まず、接続された複数の測定器１の測定開始タイミングを揃える。具体的には、ＣＰＵ１７１は、例えば、外部操作ボックス１３１より全子機１０に同時に入力される操作信号に基づいて測定を開始する。また、ＣＰＵ１７１は、当該操作信号を受信した時点を基準時点として計時部１４による計時を開始する。
そして、ＣＰＵ１７１は、所定時間毎に、その時点で測定された測定データを送信する。従って、第３動作モードでは、一定時間毎に連続して測定データが送信されることとなる。
なお、接続された複数の測定器１の測定開始タイミングを揃える方法としては、上記以外にも、子機１０が親機２０からの設定データを受信して初期設定されたときに第３動作モードだけは子機１０は受信状態となることとし、親機２０経由で子機１０に送信されるデータ処理装置２からの「測定開始命令」を受信して、その時点で測定を開始する（その時点を基準時点とする）こととしても良い。即ち、この方法では、親機２０或いは親機２０に指示信号を送るデータ処理装置２が、指示手段として、ユーザ操作に応じて複数の子機１０に対して同時に測定開始を指示している。
また、「所定時間」は、子機１０で設定してもよいし、親機２０で設定してもよい。
【００５１】
ＣＰＵ１７１は、かかる第３動作モード実行プログラム１７３ｇを実行することで、第３動作モード実行手段として機能する。
【００５２】
次に、親機２０の構成について説明する。
【００５３】
親機２０は、通信部２１、設定部２２、制御部２３、等を備え、データ処理装置２と接続ケーブルにて接続されている。
【００５４】
通信部２１は、図示しないアンテナを備え、子機１０との間で、例えば、設定要求信号、設定データ、測定データ等の無線送受信を行う。
具体的に、通信部２１は、子機１０から通信部１１を介して設定要求信号が送信された場合にこれを受信し、この設定要求信号に応じて子機１０毎に設定データを送信する。
また、通信部２１は、各子機１０から測定データが送信された場合にこれを受信する。
また、通信部２１は、設定部２２により動作モードの設定や変更の指示が行われた場合、送信手段として、その指示された動作モードを指定するモード情報を子機１０に送信する。
【００５５】
設定部２２は、ユーザが押下操作する操作ボタン等を備え、ユーザが測定データを収集する際の動作モードを指定する際に使用される。
即ち、ユーザにより設定部２２の押下操作が行われると、この押下操作に応じた操作信号がＣＰＵ２３１（後述）に出力され、ＣＰＵ２３１は、この操作信号に応じて、動作モード設定プログラム２３３ｄ（後述）を実行する。
【００５６】
制御部２３は、ＣＰＵ２３１、ＲＡＭ２３２、ＲＯＭ２３３、等を備えている。
【００５７】
ＣＰＵ２３１は、例えば、ＲＯＭ４２２に記憶されている各種処理プログラムに従って、各種の制御処理を行う。
ＲＡＭ２３２は、ＣＰＵ２３１により演算処理されたデータを格納するワークメモリエリアを形成する。
【００５８】
ＲＯＭ２３３は、例えば、ＣＰＵ２３１によって実行可能なシステムプログラムや、そのシステムプログラムで実行可能な各種処理プログラム、これら各種処理プログラムを実行する際に使用されるデータ、ＣＰＵ２３１によって演算処理された各種処理結果のデータなどを記憶する。なお、プログラムは、コンピュータが読み取り可能なプログラムコードの形でＲＯＭ２３３に記憶されている。
【００５９】
具体的には、ＲＯＭ２３３には、例えば、待ち時間決定プログラム２３３ａ、データ送信プログラム２３３ｂ、測定データ受信プログラム２３３ｃ、動作モード設定プログラム２３３ｄ、等が記憶されている。
【００６０】
待ち時間決定プログラム２３３ａは、例えば、ＣＰＵ２３１に、複数の子機１０の各々が互いに異なる送信タイミングで測定データを送信するよう待ち時間情報を決定する機能を実現させるプログラムである。
具体的には、ＣＰＵ２３１は、例えば、ＩＤ番号の早い測定器１に接続された子機１０から順に１秒毎に測定データを送信するように待ち時間を決定する。
ＣＰＵ２３１は、かかる待ち時間決定プログラム２３３ａを実行することで、待ち時間決定手段として機能する。
【００６１】
データ送信プログラム２３３ｂは、例えば、ＣＰＵ２３１に、設定要求信号に応じて、複数の子機１０に対して、前記待ち時間情報を含む設定データを送信する機能を実現させるプログラムである。
具体的には、通信部２１が子機１０から出力された設定要求信号を受信したことに応じて、ＣＰＵ２３１が待ち時間決定プログラム２３３ａを実行し、複数の子機１０の各々に対する待ち時間情報が決定された場合、ＣＰＵ２３１は、データ送信プログラム２３３ｂを実行し、複数の子機１０の各々に対して、各々の待ち時間情報を含んだ設定データを出力する。
上述したように、設定データは、複数の測定器１の各々に対して、測定データの送信タイミングを指定するものであるため、この設定データに基づいて設定された複数の子機１０は、それぞれ異なるタイミングで親機２０に対して測定データを送信することとなる。
ＣＰＵ２３１は、かかるデータ送信プログラム２３３ｂを実行することで、通信部２１と共にデータ送信手段として機能する。
【００６２】
測定データ受信プログラム２３３ｃは、例えば、ＣＰＵ２３１に、複数の子機１０から送信された測定データを受信し、データ処理装置２に出力する機能を実現させるプログラムである。
具体的には、ＣＰＵ２３１は、通信部２１を介して複数の子機１０から測定データを受信すると、この測定データを接続ケーブルを介してデータ処理装置２に出力する。データ処理装置２では、親機２０から出力された測定データを記録するようになっている。
【００６３】
動作モード設定プログラム２３３ｄは、例えば、ＣＰＵ２３１に、第１〜第３動作モードの何れかを設定する機能を実現させるプログラムである。
具体的に、初期設定時においては、ＣＰＵ２３１は、動作モード設定プログラム２３３ｄを実行し、設定データに含まれるモード情報を通信部２１により子機１０に対して送信する。
又は、測定中、ユーザが設定部２２により動作モードを変更した場合、ＣＰＵ２３１は、動作モード設定プログラム２３３ｄを実行し、子機１０からの設定要求信号を受信すると指定された動作モードのモード情報を通信部２１により子機１０に対して送信する。
なお、モード情報を受信した子機１０では、ＣＰＵ１７１により指定された動作モードが実行される。
ＣＰＵ１７１は、かかる動作モード設定プログラム２３３ｄを実行することで、動作モード設定手段として機能する。
【００６４】
次に、無線転送システム１００の動作を、図４〜６を用いて説明する。
図４は、第１動作モードの動作を示すフローチャートである。
第１動作モードでは、先ず、ステップＳ１０１において、子機１０のＣＰＵ１７１は、電源をＯＮにする。
次いで、ステップＳ１０２において、ＣＰＵ１７１は、外部操作ボックス１３１への操作が有るか否か、即ち操作信号が入力されたか否かを判断し、操作信号が入力されていない場合（ステップＳ１０１：ＮＯ）、このステップＳ１０２の処理を繰り返す。
一方、操作信号が入力された場合（ステップＳ１０２：ＹＥＳ）、続くステップＳ１０３において、測定データ出力のトリガが発生すると、続くステップＳ１０４において、ＣＰＵ１７１は、接続されている測定器１に対して測定データを要求する。
次いで、ステップＳ１０５において、ＣＰＵ１７１は、測定器１から測定データを取得する。
次いで、ステップＳ１０６において、ＣＰＵ１７１は、測定データを記憶部１７３に格納する。
次いで、ステップＳ１０７において、ＣＰＵ１７１は、設定された待ち時間経過したか否かを判断し、待ち時間が経過していない場合（ステップＳ１０７：ＮＯ）、このステップＳ１０７を繰り返す。
一方、待ち時間が経過した場合（ステップＳ１０７：ＹＥＳ）、続くステップＳ１０８において、ＣＰＵ１７１は、測定データを出力し、本処理を終了する。
【００６５】
図５は、第２動作モードの動作を示すフローチャートである。
第２動作モードでは、先ず、ステップＳ２０１において、子機１０のＣＰＵ１７１は、電源をＯＮにする。
次いで、ステップＳ２０２において、ＣＰＵ１７１は、接続されている測定器１に対して測定データを要求する。
次いで、ステップＳ２０３において、ＣＰＵ１７１は、測定器１から測定データを取得する。
次いで、ステップＳ２０４において、ＣＰＵ１７１は、測定データの取得が初回であるか否かを判断し、測定データの取得が初回である場合（ステップＳ２０４：ＹＥＳ）、続くステップＳ２０５において、ＣＰＵ１７１は、所定の待機時間（待機時間１）だけ待機し、続くステップＳ２０６において、測定データを、記憶部１７３の図示しない第１のバッファに格納した後、上記ステップＳ２０２に戻って以降の処理を繰り返す。
ここで、待機時間１は、測定器１の計測速度に応じ、消費電力の低減を図るため適当な値に設定された時間である。
【００６６】
一方、測定データの取得が初回でない場合（ステップＳ２０４：ＮＯ）、続くステップＳ２０７において、ＣＰＵ１７１は、測定データを、記憶部１７３の図示しない第２のバッファに格納する。
次いで、ステップＳ２０８において、ＣＰＵ１７１は、測定値に変化がないか否か、即ち、第１のバッファに格納した値と、第２のバッファに格納した値の差が０となるか否かを判断する。
そして、測定値に変化がある場合（ステップＳ２０８：ＮＯ）、続くステップＳ２０９において、ＣＰＵ１７１は、所定の待機時間（待機時間１）だけ待機し、続くステップＳ２１０において、第２のバッファのデータにより、第１のバッファのデータを上書きした後、上記ステップＳ２０２に戻って以降の処理を繰り返す。
一方、測定値に変化がない場合（ステップＳ２０８：ＹＥＳ）、続くステップＳ２１１において、ＣＰＵ１７１は、所定の待機時間（待機時間１）だけ待機し、続くステップＳ２１２において、測定値が所定時間同一か否かを判断し、所定時間同一でない場合（ステップＳ２１２：ＮＯ）、上記ステップＳ２０２に戻って以降の処理を繰り返す。
一方、所定時間同一である場合（ステップＳ２１２：ＹＥＳ）、続くステップＳ２１３において、ＣＰＵ１７１は、所定の待機時間（待機時間２）だけ待機する。ここで、待機時間２は、他の測定器１の測定の終了を考慮するための時間である。即ち、待機時間２の後には、全ての測定器１の測定が終了したと推測される。
次いで、ステップＳ２１４において、測定データ出力のトリガが発生すると、続くステップＳ２１５において、ＣＰＵ１７１は、設定された待ち時間経過したか否かを判断し、待ち時間が経過していない場合（ステップＳ２１５：ＮＯ）、このステップＳ２１５を繰り返す。
一方、待ち時間が経過した場合（ステップＳ２１５：ＹＥＳ）、続くステップＳ２１６において、ＣＰＵ１７１は、測定データを出力し、本処理を終了する。
【００６７】
図６は、第３動作モードの動作を示すフローチャートである。
第３動作モードでは、先ず、ステップＳ３０１において、子機１０のＣＰＵ１７１は、電源をＯＮにする。
次いで、ステップＳ３０２において、ＣＰＵ１７１は、外部操作ボックス１３１への操作が有るか否か、即ち操作信号が入力されたか否かを判断し、操作信号が入力されていない場合（ステップＳ３０２：ＮＯ）、このステップＳ３０２の処理を繰り返す。
一方、操作信号が入力された場合（ステップＳ３０２：ＹＥＳ）、続くステップＳ３０３において、測定データ出力のトリガが発生すると、続くステップＳ３０４において、ＣＰＵ１７１は、接続されている測定器１に対して測定データを要求する。
次いで、ステップＳ３０５において、ＣＰＵ１７１は、測定器１から測定データを取得する。
次いで、ステップＳ３０６において、ＣＰＵ１７１は、測定データを記憶部１７３に格納する。
次いで、ステップＳ３０７において、ＣＰＵ１７１は、設定された待ち時間経過したか否かを判断し、待ち時間が経過していない場合（ステップＳ３０７：ＮＯ）、このステップＳ３０７を繰り返す。
一方、待ち時間が経過した場合（ステップＳ３０７：ＹＥＳ）、続くステップＳ３０
８において、ＣＰＵ１７１は、測定データを出力する。
次いで、ステップＳ３０９において、ＣＰＵ１７１は、測定終了時間であるか否かを判断し、測定終了時間である場合（ステップＳ３０９：ＹＥＳ）、ＣＰＵ１７１は、本処理を終了する。
一方、測定終了時間でない場合（ステップＳ３０９：ＮＯ）、続くステップＳ３１０において、ＣＰＵ１７１は、所定時間経過したか否かを判断し、所定時間経過していなか場合（ステップＳ３１０：ＮＯ）、このステップＳ３１０の処理を繰り返す。
一方、所定時間経過した場合（ステップＳ３１０：ＹＥＳ）、ＣＰＵ１７１は、上記ステップＳ３０４に戻って、以降の処理を繰り返す。
【００６８】
以上のように、本実施形態の無線転送システム１００によれば、子機１０毎に基準時点からの異なる待ち時間で設定された送信タイミングで測定データが親機２０に送信されるので、電波発信のタイミングが子機１０毎に異なることとなるため、混信すること無しに全ての測定データの転送を行うことができる。
また、各子機１０の測定データの送信タイミングを設定するための設定データは、子機１０の電源投入時（子機の初期設定時）および動作モードが変更されたときにのみ送受信が行われ、設定後は、親機２０から同様のデータを受信する必要がないため、各子機１０は、設定データを受信するとき、或いは第３動作モードにおいて測定開始命令を受信するときにのみ受信状態にすればよい。そして、測定データの送信タイミングには親機２０との通信を行う通信部１１を起動状態にさせて、当該測定データの送信後には通信部１１を停止させる。このため、消費電力を低減することができる。
よって、消費電力が低く、且つ混信の発生を防ぐことができる。
【００６９】
また、本実施形態の無線転送システム１００によれば、設定データに第１動作モードを指定するモード情報が含まれた場合には、外部操作ボックス１３１に対してユーザ操作が実行された際に、測定データを送信する第１動作モードが実行される。
この第１動作モードの場合、子機１０は、外部操作ボックス１３１が押下操作されるまでは受信状態としておく必要がないため、消費電力を低減することができる。
【００７０】
また、本実施形態の無線転送システム１００によれば、設定データに第２動作モードを指定するモード情報が含まれた場合には、測定終了が確認された時点で、測定データを送信する第２動作モードが実行される。
この第２動作モードの場合、子機１０は、測定器１が測定対象物から離れている場合の測定データは無線伝送をしないこととなるので、消費電力を低減することができる。
【００７１】
また、本実施形態の無線転送システム１００によれば、設定データに第３動作モードを指定するモード情報が含まれた場合には、指示手段に対してユーザ操作が実行された時点で測定を開始し、所定時間毎に測定データを送信する第３動作モードが実行される。
【００７２】
また、本実施形態の無線転送システム１００によれば、親機２０の設定部２２を用いて、ユーザが子機１０の動作モードの変更を指示した場合、当該設定された動作モードに切り換えることができる。
これにより、測定状況に応じて適した動作モードを選択実行することができる。
【００７３】
なお、上記実施形態においては、ユーザが親機２０の設定部２２に動作モードの設定の入力を行うと、ＣＰＵ２３１が動作モード設定プログラム２３３ｄを実行し、動作モードが設定されることとしているが、データ処理装置２のキーボードにより設定を行い、親機２０がその設定をデータ処理装置２より受信して格納すると、ＣＰＵ２３１は、動作モード設定プログラム２３３ｄを実行し、指定された動作モードのモード情報を通信部２１により子機１０に対して送信することとしても良い。
また、子機１０のＩＤ番号とグループ番号、待ち時間の設定等も同様に、データ処理装置２を用いて設定を行うこととしても良い。
【００７４】
また、上記実施形態においては、第１〜第３動作モードを変更可能な構成について説明したが、第１〜第３動作モードのうちの何れか１つの動作モードのみ実行可能なシステムとして構成することもできる。
【００７５】
また、上記実施形態においては、第１動作モードを、外部操作ボックス１３１を押下操作することでデータ送信が実行されることとして説明したが、例えば、データ処理装置２よりデータ送信の指示を行うこととしても良い。
【００７６】
また、上記実施形態においては、２台の親機２０に４台ずつ子機１０を接続した構成を例示しているが、親機２０及び子機１０の数はこれに限定されない。具体的には、実用上、１台のデータ処理装置２には、１５台の親機２０が接続でき、１台の親機２０には、１００台の子機１０が接続可能である。また、使用周波数は１５チャンネル利用可能である。
【００７７】
また、測定器１が走査による測定を行う場合には、ある一定時間内に測定された測定データを蓄積記憶しておき、送信タイミングに、蓄積されたデータを一括で親機２０に対して送信することで、混信することなしに全ての測定データの転送を行うことができる。
【符号の説明】
【００７８】
１  ジタル計測器（測定器）
２  データ処理装置
１０  子機
１１  通信部（データ要求手段）
１２  報知部
１３  操作部
１３１  外部操作ボックス（操作手段、指示手段）
１４  計時部（計時手段）
１５  接続部
１６  電源部
１７  制御部
１７１  ＣＰＵ
１７２  ＲＡＭ
１７３  記憶部
１７３ａ  データ要求プログラム（データ要求手段）
１７３ｂ  送信タイミング制御プログラム（送信タイミング制御手段）
１７３ｃ  起動制御プログラム（起動制御手段）
１７３ｄ  第１動作モード実行プログラム（第１動作モード実行手段）
１７３ｅ  第２動作モード実行プログラム（第２動作モード実行手段）
１７３ｆ  検出プログラム（検出手段）
１７３ｇ  動作モード実行プログラム（第３動作モード実行手段）
２０  親機
２１  通信部（データ送信手段、送信手段）
２２  設定部（設定手段）
２３  制御部
２３１  ＣＰＵ
２３２  ＲＡＭ
２３３  ＲＯＭ
２３３ａ  待ち時間決定プログラム（待ち時間決定手段）
２３３ｂ  データ送信プログラム（データ送信手段）
２３３ｃ  測定データ受信プログラム（測定データ受信手段）
２３３ｄ  動作モード設定プログラム（動作モード設定手段）
１００  測定データ無線転送システム
【図１】
2011118727.tif 000003
【図２】
2011118727.tif 000004
【図３】
2011118727.tif 000005
【図４】
2011118727.tif 000006
【図５】
2011118727.tif 000007
【図６】
2011118727.tif 000008